(57)【要約】【課題】光学ファインダを有し、カメラボディ内の撮像素子を駆動させることにより手ブレ補正を行うカメラにおいて、手ブレ補正の効果を容易に確認できるカメラを提供すること。【解決手段】手ブレ補正駆動部３を駆動するとにより撮像素子６を駆動して手ブレ補正を行うカメラにおいて、手ブレ補正駆動部３を動作させた際に、手ブレ補正モード設定部４が手ブレ補正ＯＮに設定されている場合には、可動ミラー１２を撮影光学系と撮像素子６との光路間から退避させて、画像モニタ８上に撮像素子６からの画像を繰り返し表示させる。【選択図】      図１
2005086669.tif 000002
【特許請求の範囲】
【請求項１】
撮影光学系と、
この撮影光学系を介して入射した光束を受けて画像データを出力するための撮像素子と、
この撮像素子から出力された画像データに基づいて画像表示を行う画像モニタと、
撮影すべき被写体を観察するための光学ファインダと、
上記撮影光学系と上記撮像素子との光路間に配置された可動ミラーであって、上記光学ファインダを介して上記被写体を観察する時には上記撮影光学系を介して入射した光束を上記光学ファインダ側に導き、撮影時には上記光路間から退避して上記撮影光学系を介して入射した光束を上記撮像素子の側に導く可動ミラーと、
上記撮像素子を上記撮影光学系の撮影光軸に対して垂直な方向に移動させることにより手ブレ補正を行う手ブレ補正部と、
当該カメラの撮影モードを、上記手ブレ補正部を動作させて撮影を行う手ブレ補正モードに設定する手ブレ補正モード設定部と、
上記手ブレ補正モード設定部によって撮影モードが手ブレ補正モードに設定された場合に、上記可動ミラーを上記光路間から退避させるとともに、上記撮像素子から画像データを繰り返し出力させ、この繰り返し出力させた画像データに基づいて上記画像モニタに画像表示を行うように制御する動作制御部と、
を具備することを特徴とするカメラ。
【請求項２】
上記動作制御部は、上記手ブレ補正モードが解除された場合に、上記可動ミラーを上記光路間に戻すとともに、上記画像モニタへの画像表示を停止させることを特徴とする請求項１に記載のカメラ。
【請求項３】
上記動作制御部は、上記手ブレ補正部を動作させてから所定時間当該カメラの無操作状態が継続した場合に、上記可動ミラーを上記光路間に戻すとともに上記画像モニタへの画像表示を停止させた後、当該カメラの動作モードを消費電力の少ない省電力モードに設定することを特徴とする請求項１又は２に記載のカメラ。
【請求項４】
上記動作制御部は、上記省電力モードが解除された際に、上記手ブレ補正モード設定部によって当該カメラの撮影モードが手ブレ補正モードに設定されている場合には、上記可動ミラーを上記光路間から退避させるとともに、上記撮像素子から画像データを繰り返し出力させ、この繰り返し出力させた画像データに基づいて上記画像モニタに画像表示を行うように制御することを特徴とする請求項３に記載のカメラ。
【請求項５】
上記光学ファインダは、上記手ブレ補正モード設定部による設定状況に応じて告知を行う告知部を有し、
上記動作制御部は、上記手ブレ補正モード設定部によって撮影モードが手ブレ補正モードに設定されている場合に、上記告知部に手ブレ補正モードが設定されている旨の告知を行うように制御することを特徴とする請求項１乃至３の何れか１つに記載のカメラ。
【請求項６】
当該カメラに発生している手ブレの大きさを検出する手ブレ検出部を更に具備し、
上記告知部は、上記手ブレ検出部において検出された手ブレの大きさに応じた手ブレ状態の告知を更に行うことを特徴とする請求項５に記載のカメラ。
【請求項７】
撮影光学系と、
この撮影光学系を介して入射した光束を受けて画像データを出力するための撮像素子と、
この撮像素子を上記撮影光学系の撮影光軸に対して垂直な方向に移動させることにより手ブレ補正を行う手ブレ補正部と、
この手ブレ補正部を動作させた状態において上記撮像素子から出力される画像データに基づいて画像表示を行う第１の表示モードと上記手ブレ補正部を動作させない状態において上記撮像素子から出力される画像データに基づいて画像表示を行う第２の表示モードとを備える画像モニタと、
当該カメラの撮影モードを、上記手ブレ補正部を動作させて撮影を行う手ブレ補正モードに設定する手ブレ補正モード設定部と、
この手ブレ補正モード設定部の設定状態に応じて上記画像モニタの表示モードを切り替え制御する動作制御部と、
を具備することを特徴とするカメラ。
【発明の詳細な説明】
【技術分野】
【０００１】
本発明は、手ブレ補正機能を有するカメラに関する。
【背景技術】
【０００２】
カメラを保持する際に発生する手ブレによる撮像素子の結像面上における像移動の影響を防止する手ブレ防止機能を有するカメラが、例えば特許文献１等で提案されている。この特許文献１において提案されているカメラは、撮影中に発生している手ブレ状態を検出し、検出した手ブレ状態に応じて撮像素子を撮影光学系の光軸と直交する方向に移動させることで手ブレの補正を行うものである。
【特許文献１】特開平５−２２６４９号公報
【発明の開示】
【発明が解決しようとする課題】
【０００３】
特許文献１の方式では、光学ファインダに入射する像に対しては手ブレ補正機能が働かないので、手ブレ補正の効果を光学ファインダによって確認することができない。ここで、光学式のファインダは電子式のファインダに比べて高品位の画像を表示することができ、また表示の際の電流消費も少ないので、観察用のファインダとしてよく用いられているものである。
【０００４】
本発明は、上記の事情に鑑みてなされたもので、光学ファインダを有し、カメラボディ内の撮像素子を駆動させることにより手ブレ補正を行うカメラにおいて、手ブレ補正の効果を容易に確認できるカメラを提供することを目的とする。
【課題を解決するための手段】
【０００５】
上記の目的を達成するために、本発明の第１の態様によるカメラは、撮影光学系と、この撮影光学系を介して入射した光束を受けて画像データを出力するための撮像素子と、この撮像素子から出力された画像データに基づいて画像表示を行う画像モニタと、撮影すべき被写体を観察するための光学ファインダと、上記撮影光学系と上記撮像素子との光路間に配置された可動ミラーであって、上記被写体を観察する時には上記撮影光学系を介して入射した光束を上記光学ファインダ側に導き、撮影時には上記光路間から退避して上記撮影光学系を介して入射した光束を上記撮像素子の側に導く可動ミラーと、上記撮像素子を上記撮影光学系の撮影光軸に対して垂直な方向に移動させることにより手ブレ補正を行う手ブレ補正部と、当該カメラの撮影モードを、上記手ブレ補正部を動作させて撮影を行う手ブレ補正モードに設定する手ブレ補正モード設定部と、上記手ブレ補正モード設定部によって撮影モードが手ブレ補正モードに設定された場合に、上記可動ミラーを上記光路間から退避させるとともに、上記撮像素子から画像データを繰り返し出力させ、この繰り返し出力させた画像データに基づいて上記画像モニタに画像表示を行うように制御する動作制御部とを具備する。
【０００６】
この第１の態様によれば、手ブレ補正モードを動作させる際には、撮像素子で取得した画像を画像モニタ上に表示させるので、手ブレ補正の効果を容易に確認できる。
【０００７】
また、上記の目的を達成するために、本発明の第２の態様によるカメラは、第１の態様において、上記動作制御部は、上記手ブレ補正モードが解除された場合に、上記可動ミラーを上記光路間に戻すとともに、上記画像モニタへの画像表示を停止させる。
【０００８】
この第２の態様によれば、手ブレ補正モードが解除された場合には、画像モニタへの表示が停止するので、画像表示の際の消費エネルギーを低減させることができる。
【０００９】
また、上記の目的を達成するために、本発明の第３の態様によるカメラは、第１又は第２の態様において、上記動作制御部は、上記手ブレ補正部を動作させてから所定時間当該カメラの無操作状態が継続した場合に、上記可動ミラーを上記光路間に戻すとともに上記画像モニタへの画像表示を停止させた後、当該カメラの動作モードを消費電力の少ない省電力モードに設定することを特徴とする請求項１又は２に記載のカメラ。
【００１０】
この第３の態様によれば、手ブレ補正部の動作後、所定時間カメラが操作されなかった場合には、画像モニタへの表示が停止するので、画像表示の際の消費エネルギーを低減させることができる。
【００１１】
また、上記の目的を達成するために、本発明の第４の態様によるカメラは、第３の態様において、上記動作制御部は、上記省電力モードが解除された際に、上記手ブレ補正モード設定部によって当該カメラの撮影モードが手ブレ補正モードに設定されている場合には、上記可動ミラーを上記光路間から退避させるとともに、上記撮像素子から画像データを繰り返し出力させ、この繰り返し出力させた画像データに基づいて上記画像モニタに画像表示を行うように制御する。
【００１２】
この第４の態様によれば、省電力モードが解除された際には、再び画像データの表示がなされる。
【００１３】
また、上記の目的を達成するために、本発明の第５の態様によるカメラは、第１〜第３３の態様において、上記光学ファインダは、上記手ブレ補正モード設定部による設定状況に応じて告知を行う告知部を有し、上記動作制御部は、上記手ブレ補正モード設定部によって撮影モードが手ブレ補正モードに設定されている場合に、上記告知部に手ブレ補正モードが設定されている旨の告知を行うように制御する。
【００１４】
この第５の態様によれば、カメラモードが手ブレ補正モードである場合には、このことを示す告知が行われる。
【００１５】
また、上記の目的を達成するために、本発明の第６の態様によるカメラは、第５の態様において、当該カメラに発生している手ブレの大きさを検出する手ブレ検出部を更に具備し、上記告知部は、上記手ブレ検出部において検出された手ブレの大きさに応じた手ブレ状態の告知を更に行う。
【００１６】
この第６の態様によれば、手ブレ検出部で検出した手ブレの大きさによって告知部による告知が異なる。
【００１７】
また、上記の目的を達成するために、本発明の第７の態様によるカメラは、撮影光学系と、この撮影光学系を介して入射した光束を受けて画像データを出力するための撮像素子と、この撮像素子を上記撮影光学系の撮影光軸に対して垂直な方向に移動させることにより手ブレ補正を行う手ブレ補正部と、この手ブレ補正部を動作させた状態において上記撮像素子から出力される画像データに基づいて画像表示を行う第１の表示モードと上記手ブレ補正部を動作させない状態において上記撮像素子から出力される画像データに基づいて画像表示を行う第２の表示モードとを備える画像モニタと、当該カメラの撮影モードを、上記手ブレ補正部を動作させて撮影を行う手ブレ補正モードに設定する手ブレ補正モード設定部と、この手ブレ補正モード設定部の設定状態に応じて上記画像モニタの表示モードを切り替え制御する動作制御部とを具備する。
【００１８】
この第７の態様によれば、表示モードを切り替えることによって、画像モニタ上の表示を手ブレ補正部ありの場合と手ブレ補正なしの場合との間で切り替えることができるので、手ブレ補正機能の効果を画像モニタ上で確認することができる。
【発明の効果】
【００１９】
本発明によれば、光学ファインダを有し、カメラボディ内の撮像素子を駆動させることにより手ブレ補正を行うカメラにおいて、手ブレ補正の効果を容易に確認できるカメラを提供することができる。
【発明を実施するための最良の形態】
【００２０】
以下、本発明の実施形態を図面を参照して説明する。  
［第１の実施形態］
図１は、本発明の第１の実施形態に係るカメラの構成を示すブロック図である。即ち、このカメラは、手ブレ検出部１と、手ブレ補正制御部２と、手ブレ補正駆動部３と、手ブレ補正モード設定部４と、カメラ制御部５と、撮像素子６と、撮像信号処理部７と、画像モニタ８と、シャッタ駆動部９と、シャッタ１０と、ミラー駆動部１１と、可動ミラー１２と、計時部１３と、告知部１４とから構成されている。
【００２１】
手ブレ検出部１は、例えば角速度センサ等の振動検出センサで構成されており、カメラの振動を検知してカメラに発生している手ブレの大きさを検出する。ここで、図１においては、手ブレ検出部１が１つのみ図示されているが、実際には図示しない撮影光学系の光軸に対して垂直な２軸方向の手ブレが検出可能なように２つの振動検出センサが設けられている。手ブレ検出部１によって検出された手ブレの大きさは、手ブレ補正制御部２に出力される。手ブレ補正制御部２は、手ブレの大きさに応じて、手ブレ補正部としての手ブレ補正駆動部３を駆動させる。ここで、この手ブレ補正駆動部３は、撮像素子６を駆動させるための駆動機構（アクチュエータ）である。
【００２２】
手ブレ補正モード設定部４は、カメラの手ブレ補正モードを手動設定するためのスイッチ部材である。この手ブレ補正モードについては後で述べる。
【００２３】
動作制御部としてのカメラ制御部５は、このカメラ制御部５は、例えばマイクロコンピュータ等から構成されており、手ブレ補正制御も含めたカメラ全体の制御を行う。
【００２４】
撮像素子６は、例えばＣＣＤ等で構成されており、図示しない被写体からの光束を受けて、この光束を電気信号に変換する。ここで、手ブレ補正駆動部３は、発生している手ブレに応じて撮像素子６を駆動させる。これにより、撮像素子６上のある特定の画素に入射していた光束が、手ブレの発生によって別の画素に入射することがない。
【００２５】
撮像素子６からの出力は、撮像信号処理部７に入力される。撮像信号処理部７は、入力された信号をデジタル化し、周知の画像処理を施して画像データを生成する。この画像データに基づいて、画像モニタ８上に画像表示がなされる。シャッタ駆動部９は、シャッタ（フォーカルプレーンシャッタ）１０の開閉駆動を行うための駆動機構である。ここで、シャッタ１０は、撮像素子６の露光量を制御するための遮光部材である。また、ミラー駆動部１１は、図示しない被写体からの光束を反射又は透過させるための可動ミラー１２を駆動させるための駆動機構である。
【００２６】
これら、画像モニタ８への表示制御、シャッタ１０の駆動制御、及び可動ミラー１２の駆動制御等は、カメラ制御部５によって行われる。
【００２７】
計時部１３は、時間計測を行うためのタイマである。この計時部１３はカメラ制御部５に内蔵させるようにしてもよい。また、告知部１４は、ＬＥＤ等を点灯させるなどして、ユーザに手ブレ補正モードを告知するための部材である。
【００２８】
図２は本発明の第１の実施形態に係るカメラの左側面断面図である。ここで、この図２のカメラは、レンズ交換式の１眼レフレックスカメラを想定して図示したものである。即ち、カメラボディ２１は、マウント部２２を介して図示しない撮影レンズを装着することが可能なように構成されている。ここで、撮影レンズは、複数のレンズで構成された光学系（撮影光学系）が内部に設けられており、図示しない被写体からの光束をカメラボディ２１内に入射させる。
【００２９】
ここで、図２は可動ミラー１２が図示しない撮影光学系と撮像素子６の光路間に位置している状態である。この状態では図示しない被写体からの光束が可動ミラー１２において図面上方向に反射される。この反射された光束は、スクリーンマット２３、ペンタプリズム２４、ファインダ接眼部２５からなるファインダ光学系（光学ファインダ）に入射する。即ち、ファインダ光学系に入射した光束は、まずスクリーンマット２３で像を結ぶ。ペンタプリズム２４は、スクリーンマット２３に結像した像の向きを反転させてファインダ接眼部２５に入射させる。これにより撮影者は、ファインダ接眼部２５を介して撮影すべき被写体を観察可能である。
【００３０】
一方、撮影時には、可動ミラー１２が図示しない撮影光学系と撮像素子６の光路間から退避するので、撮影光学系を介して入射した光束は撮像素子６の側に入射する。
【００３１】
図３は、図２のカメラの外観背面図である。即ち、カメラボディ２１の背面に露出配置された手ブレ補正モード設定部４のＯＮ/ＯＦＦを切り替えることにより、撮影時に手ブレ補正駆動部３を動作させるか否かを設定することができる。また、レリーズボタン２６を押し下げ操作することにより、カメラ内部の図示しないレリーズスイッチがＯＮして、後で説明する一連の撮影シーケンスが実行される。ここで、レリーズスイッチは、第１レリーズスイッチ（以下、１Ｒスイッチと称する）と第２レリーズスイッチ（以下、２Ｒスイッチと称する）の２段スイッチで構成されている。即ち、１ＲスイッチがＯＮされた場合には露光の準備動作としての測光（ＡＥ）及び測距（ＡＦ）が行われ、２ＲスイッチがＯＮされた場合には露光が行われる。
【００３２】
ここで、図２のような構成を有するカメラでは、手ブレ補正機能の効果を光学ファインダによって確認することができない。このため、第１の実施形態では、手ブレ補正機能の動作時に、画像モニタ８をファインダの代わりとして用いる。またこのときに光学ファインダをファインダ接眼部から覗いた状態を図４に示す。ここで、撮影画面枠１００の下部に絞り値及びシャッタスピードを符号２７で示す位置に表示させるようにしても良い。更に、手ブレ補正機能を動作させているときには、告知部１４としてのＬＥＤを点灯表示させるなどして撮影者に告知を行う。また、この告知部１４による告知の際は、手ブレ検出部１によって検出した手ブレの大きさによってＬＥＤの点灯形態を変更するようにしても良い。例えば、手ブレが大きい場合には、ＬＥＤを点滅表示するようにすれば、撮影者は現在発生している手ブレが大きいことを認識しやすい。
【００３３】
ここで、第１の実施形態においては、告知部１４としてＬＥＤを用いているが、これに限るものではない。また、撮影画面枠１００の中央部に表示されているのは、測光エリアを示すものである。更に、この測光エリアの被写体に対して測距も行われる。
【００３４】
次に、このような構成を有するカメラの撮影制御について図５を参照して説明する。このフローチャートは、例えばカメラに電池が装填されたときなどに、カメラ制御部５によって実行されるものである。まず、カメラ制御部５は、内部の図示しないレジスタの設定値等をイニシャライズする（ステップＳ１）。次に、電源スイッチ（以下、ＰＷスイッチと称する）が、ＯＮ状態であるか否かを判定し（ステップＳ２）、ＰＷスイッチがＯＮ状態であると判定するまで待機する。
【００３５】
一方、ステップＳ２の判定において、ＰＷスイッチがＯＮ状態であると判定した場合に、カメラ制御部５は、ＰＷスイッチがＯＦＦ状態であるか否かを判定する（ステップＳ３）。このステップＳ３の判定において、ＰＷスイッチがＯＦＦ状態であると判定した場合には、画像モニタの表示ＯＦＦ処理等を行ってカメラの電源を切るパワー（ＰＷ）ＯＦＦ処理を行う（ステップＳ４）。一方、ステップＳ３の判定において、ＰＷスイッチがＯＮ状態であると判定した場合には、１Ｒ前処理を行う（ステップＳ５）。この１Ｒ前処理については、後で詳述する。
【００３６】
１Ｒ前処理の後、カメラ制御部５は、１ＲスイッチがＯＮ状態であるか否かを判定する（ステップＳ６）。このステップＳ６の判定において、１ＲスイッチがＯＦＦ状態であると判定した場合には、ステップＳ３に戻る。一方、１ＲスイッチがＯＮ状態であると判定した場合には、測光（ＡＥ）及び測距（ＡＦ）を行う（ステップＳ７）。ここで、可動ミラー１２が図示しない撮影光学系と撮像素子６の光路間に位置している場合（手ブレ補正駆動部３を動作させていない場合）には、カメラ内部の図示しないＡＥセンサ及びＡＦセンサを用いてＡＥ及びＡＦを行う。一方、可動ミラー１２が図示しない撮影光学系と撮像素子６の光路間から退避している場合（手ブレ補正駆動部３を動作させている場合）には、撮像素子６の出力に基づいてＡＥ及びＡＦを行う。これらの手法については、周知の技術であるので、詳細な説明については省略する。
【００３７】
ＡＥ及びＡＦが終了した後、カメラ制御部５は、２ＲスイッチがＯＮ状態であるか否かを判定する（ステップＳ８）。このステップＳ７の判定において、２ＲスイッチがＯＮ状態であると判定した場合に、カメラ制御部５は、１ＲスイッチがＯＮ状態であるか否かを再び判定する（ステップＳ９）。このステップＳ９の判定において、１ＲスイッチがＯＮ状態であると判定した場合には、ステップＳ８に戻る。一方、ステップＳ９の判定において、１ＲスイッチがＯＦＦ状態であると判定した場合には、ステップＳ３に戻る。
【００３８】
また、ステップＳ８の判定において、２ＲスイッチがＯＮ状態であると判定した場合に、カメラ制御部５は、露光制御を行う（ステップＳ１０）。その後、取得した画像データを、例えばメモリカード等の記録媒体に記録させる（ステップＳ１１）。画像記録が終了した後、カメラ制御部５は、１ＲスイッチがＯＦＦ状態であるか否かを判定し（ステップＳ１２）、１ＲスイッチがＯＦＦ状態になるまで待機する。一方、１ＲスイッチがＯＦＦ状態であると判定した場合には、ステップＳ３に戻る。
【００３９】
ここで、ステップＳ５の１Ｒ前処理について図６を参照して説明する。この１Ｒ前処理において、カメラ制御部５は、手ブレ補正モードの設定変更があったか否か、即ち、図３の手ブレ補正モード設定部４の状態が変化したか否かを判定する（ステップＳ２１）。このステップＳ２１の判定において、手ブレ補正モードの設定変更があったと判定した場合に、カメラ制御部５は、手ブレ補正モード設定部４がＯＮに設定されたか否かを判定する（ステップＳ２２）。一方、ステップＳ２２の判定において、手ブレ補正モード設定部４がＯＮに設定されたと判定した場合に、カメラ制御部５は、手ブレ補正モードフラグをセットして（ステップＳ２３）、手ブレ補正開始処理を行う（ステップＳ２４）。また、ステップＳ２２の判定において、手ブレ補正モード設定部４がＯＦＦに設定されたと判定した場合に、カメラ制御部５は、手ブレ補正モードフラグをクリアして（ステップＳ２５）、手ブレ補正終了処理を行う（ステップＳ２６）。ここで、手ブレ補正開始処理及び手ブレ補正終了処理については、後で詳述する。
【００４０】
また、ステップＳ２１の判定において、手ブレ補正モードの設定変更がなされていないと判定した場合に、カメラ制御部５は、手ブレ補正モードフラグがセット中であるか否かを判定する（ステップＳ２７）。このステップＳ２７の判定において、手ブレ補正モードフラグがセット中であると判定した場合に、カメラ制御部５は、撮影者によってスタンバイモードの解除指示がなされたか否かを判定する（ステップＳ２８）。このステップＳ２８の判定において、スタンバイモードの解除指示がなされたと判定した場合に、カメラ制御部５は、手ブレ補正開始処理を行う（ステップＳ２９）。一方、ステップＳ２７の判定において手ブレ補正モードフラグがセットされていないと判定した場合又はスタンバイ解除指示がなされていないと判定した場合には、手ブレ補正を開始せずにステップＳ３０に移行する。
【００４１】
このようにして手ブレ補正に関する処理が終了した後、カメラ制御部５は、手ブレ補正以外の処理、例えばカメラの撮影モード設定やズーム設定などに関する処理を行う（ステップＳ３０）。次に、カメラ制御部５は、カメラが操作されていない状態が所定時間経過したか否かを判定する（ステップＳ３１）。ここで、この所定時間の計時は、計時部１３によって行う。
【００４２】
ステップＳ３１の判定において、所定時間が経過していないと判定した場合には、この図６のフローチャートを抜けて図５のステップＳ６に移行する。一方、ステップＳ３１の判定において、所定時間が経過したと判定した場合に、カメラ制御部５は、手ブレ補正モードフラグがセット中であるか否かを判定する（ステップＳ３２）。このステップＳ３２の判定において、手ブレ補正モードフラグがセット中であると判定した場合に、カメラ制御部５は、手ブレ補正終了処理を行った後（ステップＳ３３）、カメラをスタンバイモード（省電力モード）に設定する（ステップＳ３４）。
【００４３】
一方、ステップＳ３２の判定において、手ブレ補正モードフラグがセット中でないと判定した場合には、手ブレ補正終了処理を行わずにステップＳ３４に移行してカメラをスタンバイモードに設定する。ここで、スタンバイモードとは、撮影者によってカメラ操作がなされていない状態における消費電力を低減させるために、画像表示等のカメラ機能をＯＦＦするモードである。このスタンバイモード中に、撮影者によって何らかのカメラ操作がなされた場合には、スタンバイモードが解除されて、カメラ制御部５は、図５のステップＳ３から制御を開始する。
【００４４】
次に、ステップＳ２４の手ブレ補正開始処理及びステップＳ２６の手ブレ補正終了処理について説明する。まず、手ブレ補正開始処理について図７を参照して説明する。手ブレ補正開始処理においては、まず、手ブレ補正モードがＯＮされていることを撮影者に告知するために、告知部１４のＬＥＤ表示をＯＮする（ステップＳ４１）。次に、カメラ制御部５は、手ブレ補正制御部２を介して手ブレ検出部１の動作を開始させる（ステップＳ４２）。その後、撮像素子６をＯＮすると共に（ステップＳ４３）、画像モニタ８をＯＮする（ステップＳ４４）。
【００４５】
次に、撮影光学系を介して入射した光束を撮像素子６に入射させるために、可動ミラー１２を図示しない撮影光学系と撮像素子６の光路間から退避させるミラーアップ動作を行って（ステップＳ４５）、更に、シャッタ１０を開く（ステップＳ４６）。この後、手ブレ検出部１の検出結果に基づいて、手ブレの大きさ及び手ブレの方向を演算し（ステップＳ４７）、この演算結果に基づいて手ブレ補正駆動部３を駆動させて撮像素子６の駆動を行う（ステップＳ４８）。
【００４６】
次に、カメラ制御部５は、撮像信号処理部７において撮像素子６の出力を画像処理し（ステップＳ４９）、この結果を画像モニタ８上に表示させる（ステップＳ５０）。ここで、ステップＳ４７〜ステップＳ５０の動作は、手ブレ補正モードが終了するまで継続的に行われるものである。このように、撮像素子６を繰り返し動作させることにより、撮影者は、手ブレ補正機能が動作している状態の画像データをリアルタイムに観察することが可能である。
【００４７】
次に、手ブレ補正終了処理について図８を参照して説明する。即ち、この手ブレ補正終了処理において、カメラ制御部５は、告知部１４のＬＥＤ表示をＯＦＦする（ステップＳ５１）。次に、画像モニタ８をＯＦＦする（ステップＳ５２）。その後、撮像素子６をＯＦＦする（ステップＳ５３）。そして、カメラ制御部５は、手ブレ補正制御部２を介して手ブレ検出部１の動作を停止させる（ステップＳ５４）。
【００４８】
その後、カメラ制御部５は、シャッタ１０を閉じて（ステップＳ５５）、可動ミラー１２を図示しない撮影光学系と撮像素子６の光路間に位置させるミラーダウン動作を行う（ステップＳ５６）。更に、撮像素子６の位置を初期位置、例えば、撮像素子中心と撮影光学系の撮影光軸とが一致する位置に復帰させる（ステップＳ５７）。
【００４９】
以上説明したように、第１の実施形態によれば、手ブレ補正モードをＯＮに設定した場合には、光学ファインダの代わりに画像モニタに画像表示を行うので、撮影者は、手ブレ補正機能の効果を実際に撮影を行う前に確認することが可能である。また、手ブレ補正モード中には告知部による告知表示を行うようにしたので、手ブレ補正機能を動作させているのか否かを撮影者に分かりやすく認識させることができる。更に、カメラがスタンバイモードに移行する際には、画像モニタや手ブレ補正駆動部を非動作状態とするので、消費電力を低減させることが可能である。
【００５０】
［第２の実施形態］
次に本発明の第２の実施形態について説明する。この第２の実施形態においては、画像モニタが第１の表示モードと第２の表示モードという２つの表示モードを有する。そして、これらの表示モードが手ブレ補正モード設定部の状態によって切り替え可能である。
【００５１】
図９は、第２の実施形態に係るカメラの外観背面図である。この図９に示すように、第２の実施形態においては、手ブレ補正駆動部３を動作させた状態の画像を表示させるモードである（第１の表示モード）手ブレ補正ＯＮ、手ブレ補正駆動部３を動作させていない状態の画像を表示させるモードである（第２の表示モード）手ブレ補正ＯＦＦ、手ブレ補正駆動部３及び画像モニタ８を共にＯＦＦするモードであるＡＬＬＯＦＦの３つのモードが存在する。なお、この他の構成及び図５の撮影制御については第１の実施形態と同様であるので説明を省略する。
【００５２】
図１０は、第２の実施形態における１Ｒ前処理の制御手順を示すフローチャートである。この１Ｒ前処理において、カメラ制御部５は、手ブレ補正モードの設定変更があったか否かを判定する（ステップＳ６１）。このステップＳ６１の判定において、手ブレ補正モードの設定変更があったと判定した場合に、カメラ制御部５は、後で詳述する手ブレ補正モード変更処理を行う（ステップＳ６２）。
【００５３】
一方、ステップＳ６１の判定において、手ブレ補正モードの設定変更がなされていないと判定した場合に、カメラ制御部５は、撮影者によってスタンバイモードの解除指示がなされたか否かを判定する（ステップＳ６３）。このステップＳ６３の判定において、スタンバイモードの解除指示がなされたと判定した場合に、カメラ制御部５は、手ブレ補正モード設定部４の状態を判定する（ステップＳ６４）。
【００５４】
ステップＳ６４の判定において、手ブレ補正モード設定部４がＡＬＬＯＦＦに設定されていると判定した場合には、ステップＳ６７に移行する。また、手ブレ補正モード設定部４が補正ＯＦＦに設定されている場合には、撮像画像表示開始処理を行って（ステップＳ６５）、ステップＳ６７に移行する。ここで、撮像画像表示開始処理は、図７の手ブレ補正開始処理における手ブレ補正機能に関する処理以外の処理、即ち、ステップＳ４３、ステップＳ４４、ステップＳ４５、ステップＳ４６、ステップＳ４９、及びステップＳ５０を行う処理である。更に、手ブレ補正モード設定部４が補正ＯＮに設定されている場合には、図７の手ブレ補正開始処理と同様の処理を行って（ステップＳ６６）、ステップＳ６７に移行する。
【００５５】
このようにして手ブレ補正に関する処理が終了した後、カメラ制御部５は、手ブレ補正以外の処理、例えばカメラの撮影モード設定やズーム設定などに関する処理を行う（ステップＳ６７）。次に、カメラ制御部５は、カメラが操作されていない状態が所定時間経過したか否かを判定する（ステップＳ６８）。このステップＳ６８の判定において、所定時間が経過していないと判定した場合には、この図６のフローチャートを抜けて図５のステップＳ６に移行する。一方、ステップＳ６８の判定において、所定時間が経過したと判定した場合に、カメラ制御部５は、手ブレ補正モード設定部４の状態を判定する（ステップＳ６９）。
【００５６】
ステップＳ６９の判定において、手ブレ補正モード設定部４がＡＬＬＯＦＦに設定されていると判定した場合には、ステップＳ７２に移行する。また、手ブレ補正モード設定部４が補正ＯＦＦに設定されている場合には、撮像画像終了処理を行って（ステップＳ７０）、ステップＳ７２に移行する。ここで、撮像画像表示終了処理は、図８の手ブレ補正終了処理における手ブレ補正機能に関する処理以外の処理、即ち、ステップＳ５２、ステップＳ５３、ステップＳ５５、及びステップＳ５６を行う処理である。更に、手ブレ補正モード設定部４が補正ＯＮに設定されている場合には、図８の手ブレ補正終了処理と同様の処理を行って（ステップＳ７１）、ステップＳ７２に移行する。これら手ブレ補正モード設定部４の状態に応じた処理がなされた後、カメラをスタンバイモードに設定する（ステップＳ７２）。
【００５７】
次に、図１０のステップＳ６２における手ブレ補正モード変更処理について図１１を参照して説明する。この処理では、手ブレ補正モード設定部４の状態がどのように変化したのかを判定し、それに応じた処理を実行する。
【００５８】
即ち、カメラ制御部５は、まず、手ブレ補正モード設定部４の状態がＡＬＬＯＦＦから補正ＯＦＦに変化したか否かを判定する（ステップＳ１０１）。このステップＳ１０１の判定において、手ブレ補正モード設定部４の状態がＡＬＬＯＦＦから補正ＯＦＦに変化したと判定した場合には、画像表示に関する処理のみを行う。即ち、撮像素子６をＯＮし（ステップＳ１０２）、次に画像モニタ８をＯＮする（ステップＳ１０３）。そして、可動ミラー１２のミラーアップ動作を行って（ステップＳ１０４）、更に、シャッタ１０を開く（ステップＳ１０５）。次に、カメラ制御部５は、撮像信号処理部７において撮像素子６の出力を画像処理し（ステップＳ１０６）、この結果を画像モニタ８上に表示させる（ステップＳ１０７）。
【００５９】
また、ステップＳ１０１の判定において、手ブレ補正モード設定部４の状態がＡＬＬＯＦＦから補正ＯＦＦに変化していないと判定した場合に、カメラ制御部５は、手ブレ補正モード設定部４の状態が補正ＯＦＦから補正ＯＮに変化したか否かを判定する（ステップＳ１０８）。このステップＳ１０８の判定において、手ブレ補正モード設定部４の状態が補正ＯＦＦから補正ＯＮに変化したと判定した場合には、既に画像表示が行われている状態なので、手ブレ補正機能を動作させる処理のみを行う。即ち、カメラ制御部５は、手ブレ補正モードフラグをセットし（ステップＳ１０９）、手ブレ補正制御部２を介して手ブレ検出部１をＯＮする（ステップＳ１１０）。続いて、手ブレ演算を行って（ステップＳ１１１）、この演算結果に従って撮像素子６を駆動させる（ステップＳ１１２）。その後、カメラ制御部５は、撮像信号処理部７において撮像素子６の出力を画像処理し（ステップＳ１１３）、この結果を画像モニタ８上に表示させる（ステップＳ１１４）。
【００６０】
また、ステップＳ１０８の判定において、手ブレ補正モード設定部４の状態が補正ＯＦＦから補正ＯＮに変化していないと判定した場合に、カメラ制御部５は、手ブレ補正モード設定部４の状態が補正ＯＮから補正ＯＦＦに変化したか否かを判定する（ステップＳ１１５）。このステップＳ１１５の判定において、手ブレ補正モード設定部４の状態が補正ＯＮから補正ＯＦＦに変化したと判定した場合には、手ブレ補正機能のみ動作を終了させる処理を行う。即ち、カメラ制御部５は、手ブレ補正モードフラグをクリアし（ステップＳ１１６）、手ブレ補正制御部２を介して手ブレ検出部１をＯＦＦする（ステップＳ１１７）。続いて、撮像素子６を初期位置に復帰させる（ステップＳ１１８）。その後、カメラ制御部５は、撮像信号処理部７において撮像素子６の出力を画像処理し（ステップＳ１１９）、この結果を画像モニタ８上に表示させる（ステップＳ１２０）。
【００６１】
また、ステップＳ１１５の判定において、手ブレ補正モード設定部４の状態が補正ＯＮから補正ＯＦＦに変化していないと判定した場合には、手ブレ補正モード設定部４の状態が補正ＯＦＦからＡＬＬＯＦＦに変化した場合である。そこで、カメラ制御部５は、画像モニタ８をＯＦＦし（ステップＳ１２１）、更に撮像素子６をＯＦＦする（ステップＳ１２２）。その後、シャッタ１０を閉じて（ステップＳ１２３）、可動ミラー１２のミラーダウン動作を行う（ステップＳ１２４）。
【００６２】
ここで、手ブレ補正モード設定部４の状態が、ＡＬＬＯＦＦから補正ＯＮのように２段続けて変化した場合には、図１１の判定を２回行えばよい。即ち、第２の実施形態においては、他の処理が行われている場合でも、手ブレ補正モード設定部４の状態が変更された場合には、割り込み処理により直ちにステップＳ１０１の判定が開始される。
【００６３】
以上説明したように、第２の実施形態によれば、手ブレ補正駆動部を動作させなくとも画像表示を行うことができる。
【００６４】
以上実施形態に基づいて本発明を説明したが、本発明は上記した実施形態に限定されるものではなく、本発明の要旨の範囲内で種々の変形や応用が可能なことは勿論である。例えば、上記した実施形態においては、デジタルカメラに本発明の技術を適用した例について説明しているが、本発明の技術は、カメラ機能を有する複合製品、例えばカメラ機能付き携帯電話、カメラ機能付き携帯情報端末（ＰＤＡ）、及びカメラ付き携帯型コンピュータ等にも適用可能である。
【００６５】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６６】
【図１】本発明の第１の実施形態に係るカメラ内部の構成を示すブロック図である。
【図２】本発明の第１の実施形態に係るカメラの側面断面図である。
【図３】本発明の第１の実施形態に係るカメラの外観背面図である。
【図４】手ブレ補正機能動作時に光学ファインダを覗いた場合の表示例について示した図である。
【図５】カメラの撮影制御について示したフローチャートである。
【図６】第１の実施形態における１Ｒ前処理について示したフローチャートである。
【図７】手ブレ補正開始処理について示したフローチャートである。
【図８】手ブレ補正終了処理について示したフローチャートである。
【図９】本発明の第２の実施形態に係るカメラの外観背面図である。
【図１０】第２の実施形態における１Ｒ前処理について示したフローチャートである。
【図１１】手ブレ補正モード変更処理について示したフローチャートである。
【符号の説明】
【００６７】
１…手ブレ検出部、２…手ブレ補正制御部、３…手ブレ補正駆動部、４…手ブレ補正モード設定部、５…カメラ制御部、６…撮像素子、７…撮像信号処理部、８…画像モニタ、９…シャッタ駆動部、１０…シャッタ、１１…ミラー駆動部、１２…可動ミラー、１３…計時部、１４…告知部、２１…カメラボディ、２２…マウント部、２３…スクリーンマット、２４…ペンタプリズム、２５…ファインダ接眼部、２６…レリーズボタン
【図１】
2005086669.tif 000003
【図２】
2005086669.tif 000004
【図３】
2005086669.tif 000005
【図４】
2005086669.tif 000006
【図５】
2005086669.tif 000007
【図６】
2005086669.tif 000008
【図７】
2005086669.tif 000009
【図８】
2005086669.tif 000010
【図９】
2005086669.tif 000011
【図１０】
2005086669.tif 000012
【図１１】
2005086669.tif 000013